(57)【要約】【課題】  省電力状態へ移行する所定時間は、物体を検知する電源系統への電源供給を停止する。【解決手段】    第１の電力状態よりも低い第２の電力状態に移行させる画像形成装置において、画像形成装置を前記第２の電力状態から前記第１の電力状態に移行させる。現在時刻が設定された時間になったことに応じて前記第２の電力状態に移行した場合、前記画像形成装置に近づく物体が検知されたことに応じて前記画像形成装置を前記第２の電力状態から前記第１の電力状態に移行させるのを、制限する構成を特徴とする。【選択図】  図１０
2019169954.tif 000002
【特許請求の範囲】
【請求項１】
第１の電力状態よりも低い第２の電力状態に移行させる画像形成装置であって、
前記第１の電力状態から第２の電力状態へ移行させる時間を設定する第１の設定手段と、
前記画像形成装置に近づく物体を検知する検知手段と、
前記第２の電力状態で前記検知手段によって前記画像形成装置に近づく物体が検知された場合に、前記画像形成装置を前記第２の電力状態から前記第１の電力状態に移行させる移行手段と、
現在時刻が前記第１の設定手段により設定された時間になったことに応じて前記第２の電力状態に移行した場合、前記移行手段が、前記検知手段によって前記画像形成装置に近づく物体が検知されたことに応じて前記画像形成装置を前記第２の電力状態から前記第１の電力状態に移行させるのを、制限する制御手段と、
を備えることを特徴とする画像形成装置。
【発明の詳細な説明】
【技術分野】
【０００１】
本発明は、画像形成装置に関するものである。
【背景技術】
【０００２】
従来、プリンタ、ファクシミリ装置、複写機等の画像形成装置においては、電源装置で生成された所定の電力が画像形成装置の所定の負荷に供給されるようになっている。そして、画像形成装置は電源制御装置を備え、該電源制御装置は、画像形成装置が一定の時間作動しない場合に、ユーザによる操作が可能な通常モードから、消費される電力を少なくするための省電力モード（スリープモード）に移行させるようになっている。しかし、ユーザによる操作が終了しても、スリープモードに移行するまでに一定時間通常モードを維持しなければならないため、無駄な電力を消費してしまう場合がある。
【０００３】
この問題を解決するために、画像形成装置に人体検知手段を設け、人体検知手段でユーザが離れたことを検知した場合には、スリープモードに移行し、人体検知手段でユーザが画像形成装置に接近した場合には、通常モードに移行するものが提案されている（特許文献１参照）。
また、各種センサの情報と起動履歴情報に応じて、移行する省電力モードを決定するものがある（特許文献２参照）。
【先行技術文献】
【特許文献】
【０００４】
【特許文献１】特開２０１２−２５６２３４号公報
【特許文献２】特開２００９−１５７７０号公報
【発明の概要】
【発明が解決しようとする課題】
【０００５】
しかしながら、上記特許文献１に記載の技術においては、２個の人体検知手段を用いることで画像形成装置の使用者か通行人かを判定しているが、人が画像形成装置の前で立ち止まるなどした場合は使用者だと誤判定する可能性がある。つまり、ユーザが意図的に省電力状態であるスリープモードへの移行設定を行い、スリープモードへ移行させたとしても、使用する意図が無いユーザが近づいただけで通常モードに移行してしまい、不要な電力を消費してしまうという問題があった。
【０００６】
また、上記特許文献２に記載の技術においては、各種センサの状態と起動履歴情報に応じて省電力状態を決定してしまうため、ユーザが意図的に消費電力の少ない電力状態を指定することができず、不要な電力を消費してしまうという問題があった。
【０００７】
本発明は、上記の課題を解決するためになされたもので、本発明の目的は、省電力状態へ移行する所定時間は、物体を検知する電源系統への電源供給を停止できる仕組みを提供することである。
【課題を解決するための手段】
【０００８】
上記目的を達成する本発明の画像形成装置は以下に示す構成を備える。
第１の電力状態よりも低い第２の電力状態に移行させる画像形成装置であって、前記第１の電力状態から第２の電力状態へ移行させる時間を設定する第１の設定手段と、前記画像形成装置に近づく物体を検知する検知手段と、前記第２の電力状態で前記検知手段によって前記画像形成装置に近づく物体が検知された場合に、前記画像形成装置を前記第２の電力状態から前記第１の電力状態に移行させる移行手段と、現在時刻が前記第１の設定手段により設定された時間になったことに応じて前記第２の電力状態に移行した場合、前記移行手段が、前記検知手段によって前記画像形成装置に近づく物体が検知されたことに応じて前記画像形成装置を前記第２の電力状態から前記第１の電力状態に移行させるのを、制限する制御手段と、を備えることを特徴とする。
【発明の効果】
【０００９】
本発明によれば、省電力状態へ移行する所定時間は、物体を検知する電源系統への電源供給を停止できる。
【図面の簡単な説明】
【００１０】
【図１】画像形成システムの概略を示す図である。
【図２】画像形成装置に対するユーザ検知処理を説明する図である。
【図３】画像形成装置の電源供給系を説明するブロック図である。
【図４】画像形成装置の操作部に表示されるＵＩ画面を示す図である。
【図５】画像形成装置の操作部に表示されるＵＩ画面を示す図である。
【図６】画像形成装置の電源供給系の電力状態を説明するブロック図である。
【図７】画像形成装置の電源供給系の電力状態を説明するブロック図である。
【図８】画像形成装置の制御方法を説明するフローチャートである。
【図９】画像形成装置の制御方法を説明するフローチャートである。
【図１０】画像形成装置の制御方法を説明するフローチャートである。
【図１１】画像形成装置の制御方法を説明するフローチャートである。
【図１２】画像形成装置の制御方法を説明するフローチャートである。
【図１３】画像形成装置の制御方法を説明するフローチャートである。
【図１４】画像形成装置の操作部に表示されるＵＩ画面を示す図である。
【図１５】画像形成装置の操作部に表示されるＵＩ画面を示す図である。
【図１６】画像形成装置の制御方法を説明するフローチャートである。
【図１７】画像形成装置の制御方法を説明するフローチャートである。
【発明を実施するための形態】
【００１１】
次に本発明を実施するための最良の形態について図面を参照して説明する。
＜システム構成の説明＞
〔第１実施形態〕
【００１２】
図１は、本実施形態を示す画像形成装置を含む画像形成システムの概略を示す図である。
図１において、画像形成装置１００は、プリンタ部１０２と、スキャナ部１０３と、メインコントローラ部１０１を備えている。プリンタ部１０２は、例えば電子写真方式に従ってシート状の記録媒体（用紙）への画像形成処理を行う。スキャナ部１０３は、原稿から光学的に画像を読み取りデジタル画像への変換を行う。メインコントローラ部１０１は、画像形成装置１００全体を制御し、スキャナ部１０３で読み取った原稿画像をプリンタ部１０２で画像形成処理し、コピー動作を行うといった制御を行う。
【００１３】
また、メインコントローラ部１０１は、ネットワーク１０６を介して、ＰＣ１０７と接続されている。ネットワーク１０６は、ローカルエリアネットワーク（ＬＡＮ）等であり、有線または無線を問わない。ＰＣ１０７は、ＣＰＵ、ＲＡＭ、ＨＤＤ等の固定記憶装置を有し、モニタ、キーボード、マウス等が接続された一般的なコンピュータ装置である。ＰＣ１０７は、画像形成プログラムとしてのプリンタドライバプログラムがインストールされている。
【００１４】
プリンタドライバプログラムがＰＣ１０７で実行されると、ＰＣ１０７は、オペレーティングシステムやアプリケーションプログラムが発行する描画命令に従って、ＰＤＬデータを生成し、画像形成装置１００に送信する。
ここで、ＰＤＬデータとは、プリンタドライバプログラムによって画像形成装置１００が処理可能なページ記述言語に変換したデータである。画像形成装置１００は、ＰＣ１０７から受信したＰＤＬデータを基に生成したビットマップ画像を用紙上に形成し、印刷動作を行う。画像形成装置１００には、ＡＣプラグ１０５が備えられており、装置外部のコンセントにＡＣプラグ１０５を差し込むことにより、交流商用電源の供給を受けるようになっている。
【００１５】
また、画像形成装置１００には、画像形成装置１００の周囲において人などの移動物体を検知する人感センサ部１０４が備えられている。なお、人感センサ部１０４は、例えば人から放射される赤外線を感知しその変化量によって人の有無を判断する焦電センサや、赤外線等の光を放射しその反射光を検知する反射形のセンサ等、検知領域内の人の有無を判断可能なセンサであれば特に限定されない。
【００１６】
図２は、図１に示した画像形成装置に対するユーザ検知処理を説明する図である。図２の（Ａ）は画像形成装置前面に近づいた人体を人感センサ部で検知する領域を側面から視た状態に対応し、図２の（Ｂ）は、画像形成装置前面に近づいた人体を人感センサ部で検知する領域を上面から視た状態に対応する。
図２の（Ａ）、（Ｂ）において、検知領域２００は、人感センサ部１０４の検知領域であり、検知領域２００内に人が存在する時に人感センサ部１０４で検知するようになっている。
なお、図２の（Ａ）では、画像形成装置１００を側面から視た状態であるが、人感センサ部１０４の検知領域２００は、画像形成装置１００の前に立って操作を行うユーザが存在すると予測される装置前方の下側に向けられている。
また、図２の（Ｂ）は、画像形成装置１００を上面から視た状態であるが、人感センサ部１０４は、画像形成装置１００の前に立って操作部を操作すると予測される操作部正面に取り付けられている。なお、この検知領域２００は、人感センサ部１０４の取り付け位置、取り付け時の向き等によって変更可能である。
【００１７】
図３は、本実施形態を示す画像形成装置の構成を説明するブロック図である。本例では、画像形成装置のメインコントローラ部と電源装置部との構成を説明する。
図３において、メインコントローラ部１０１は、電源制御部３１２、ネットワーク処理部３１３、タイマ部３１４、タイマ部３２３、メモリ部３１５、ＲＴＣ部３２４、外部記憶手段として機能するＨＤＤ部３１６、ＣＰＵ部３１７、画像処理部３１８で構成される。電源制御部３１２は、ＣＰＵ部３１７が実行するプログラム、人感センサ部１０４、操作部３１９、ネットワーク処理部３１３、タイマ部３１４、３２３の状態に従って、画像形成装置各部への電源を供給／遮断させるためのスイッチング制御を行う。
【００１８】
ネットワーク処理部３１３は、ＣＰＵ部３１７と電源制御部３１２に接続されている。ネットワーク処理部３１３は、ネットワーク１０６を介してＰＣ１０７から送信されたＰＤＬデータをＣＰＵ部３１７に出力する制御部である。また、画像形成装置１００がスリープモード状態の場合は、ネットワーク１０６から画像形成装置１００宛てのネットワークパケットを受信すると、電源制御部３１２に対して通常モードへ移行することを指示する。
【００１９】
人感センサ部１０４は、電源制御部３１２に接続にされており、人感センサ部１０４の検知領域内の人の有無を通知する。また、画像形成装置１００が人感センサ部１０４に電源供給しているスリープモード状態（通常スリープモード）の場合は、人感センサ部１０４の検知領域内に人の存在を検知すると、電源制御部３１２に対して通常モードへ移行することを指示する。
画像形成装置１００が人感センサ部１０４の電源を遮断しているスリープモード状態（人感センサ電源遮断スリープモード）の場合は、人感センサ部１０４は人の検知を行わないため、人検知による通常モードへの移行は行わない。タイマ部３１４、タイマ部３２３は、ＣＰＵ部３１７と電源制御部３１２に接続されている。タイマ部３１４、タイマ部３２３は、ＣＰＵ部３１７がタイマ時間を設定することにより、設定された時間の計時を行い、設定されたタイマ時間経過後、電源制御部３１２に対してその旨を通知するものである。
【００２０】
メモリ部３１５は、ＣＰＵ部３１７に接続されている。メモリ部３１５は、ＤＤＲ ＳＤＲＡＭ等の揮発性メモリであり、ＣＰＵ部３１７で実行する制御プログラム等によって作成されたユーザデータなどを格納する主メモリである。ＨＤＤ部３１６は、ＣＰＵ部３１７に接続されている。ＨＤＤ部３１６は、ＣＰＵ部３１７が実行するプログラムやネットワーク１０６から送信されたＰＤＬデータを一時的に格納するための記憶装置である。また、ＨＤＤ部３１６には、画像形成装置１００の設定情報３２０が格納されている。ＲＴＣ部３２４は、現在の時刻を計時するリアルタイムクロックであり、接続されたＣＰＵ部３１７が現在の時刻を確認する場合に使用するものである。
【００２１】
ＣＰＵ部３１７は、画像形成装置１００全体の制御を行う中央演算装置であり、ＨＤＤ部３１６に格納されている制御プログラムに基づいて、コピー機能やプリント機能等を実現する。画像処理部３１８は、ＣＰＵ部３１７、プリンタ部１０２、スキャナ部１０３に接続されている。画像処理部３１８は、スキャナ部１０３から出力されたデジタル画像を色空間変換などの画像処理を行い、画像処理後のデータをＣＰＵ部３１７に出力する。また、画像処理部３１８は、スキャナ部１０３で読み取られた画像データやＰＣ１０７から受信したＰＤＬデータを基に生成した画像データに色空間変換などの画像処理を行い、ビットマップデータに変換し、プリンタ部１０２に出力する。操作部３１９は、電源制御部３１２とＣＰＵ部３１７に接続されている。
【００２２】
操作部３１９は、操作用液晶パネルやスリープモード移行／解除ボタンを含むハードキーを備え、ユーザから入力される指示を受け付ける。また、画像形成装置１００がスリープモード中にスリープモード移行／解除ボタンが押下されたことを検知すると、電源制御部３１２に対して通常モードへ移行することを指示する。
【００２３】
次に、図３を用いて画像形成装置１００の電源装置３００の説明を行う。
画像形成装置１００に備えられたＡＣプラグ１０７を装置外部のコンセントに差し込むことにより、交流商用電源がリレー３０１及びコントローラ電源系１、３用電源部３０５に供給される。
【００２４】
リレー３０１は、電源制御部３１２により制御され、リレー３０１がオンされることで、高電圧電源部３０３、低電圧電源部３０４への電源供給が可能となる。コントローラ電源系１、３用電源部３０５は、電源制御部３１２により制御され、メインコントローラ部１０１の電源系３１０及び人感センサ部電源供給部３２１に接続されている。
【００２５】
電源系３１０は、スリープモード中も常時電源供給される電源系であり、電源制御部３１２、ネットワーク処理部３１３、タイマ部３１４、タイマ部３２３、ＲＴＣ部３２４、メモリ部３１５が接続されている。また、人感センサ部電源供給部３２１は、コントローラ電源系１、３用電源部３０５を入力源として、人感センサ部１０４に接続されており、電源制御部３１２でオン・オフが制御されるようになっている。
次に、高電圧電源部３０３及び低電圧電源部３０４を含む電源部３０２は、電源制御部３１２で制御され、スリープモード中は電源が遮断される。高電圧電源部３０３は、主としてプリンタ部１０２やスキャナ部１０３のモータ駆動用電源や定着部のヒータ等で使用される電源である。低電圧電源部３０４は、プリンタ部１０２、スキャナ部１０３、メインコントローラ部１０１の電源系３１１に電源供給されている。
【００２６】
メインコントローラ部１０１の電源系３１１は、スリープモード中は電源が遮断される電源系であり、ＨＤＤ部３１６、ＣＰＵ部３１７、画像処理部３１８、操作部３１９が接続されている。スキャナ部電源供給部３０７、プリンタ部電源供給部３０８、コントローラ電源系２用の電源供給部３０９を含む電源供給部３０６は、電源制御部３１２で制御され、スリープモード中は電源が遮断される。スキャナ部電源供給部３０７は、高電圧電源部３０３及び低電圧電源部３０４を入力源として、スキャナ部１０３に接続されており、電源制御部３１２でオン・オフが制御されるようになっている。
【００２７】
プリンタ部電源供給部３０８は、高電圧電源部３０３及び低電圧電源部３０４を入力源として、プリンタ部１０２に接続されており、電源制御部３１２でオン・オフが制御されるようになっている。コントローラ電源系２用の電源供給部３０９は、低電圧電源部３０４を入力源として、メインコントローラ部１０１の電源系３１１に接続されており、電源制御部３１２でオン・オフが制御されるようになっている。次に、画像形成装置１００に設定可能なスリープ設定について説明を行う。
【００２８】
画像形成装置１００には、通常モードからスリープモードへ移行する時刻を設定することが可能なオートスリープ時刻機能が用意されている。このオートスリープ時刻機能とは、ＲＴＣ部３２４により計時される時刻が曜日毎に予め設定された時刻に至ると、ＣＰＵ部３１７が通常モードからスリープモードへ移行させる機能である。
【００２９】
図４は、本実施形態を示す画像形成装置の操作部３１９に表示されるＵＩ画面を示す図である。本例は、特にオートスリープ時刻の設定画面例に対応する。
図４に示すオートスリープ時刻の設定画面構成は、メモリ部３１５あるいはＨＤＤ部３１６に保存されたソフトウェアに基づいてＣＰＵ部３１７が制御するものである。オートスリープ時刻の設定画面１２０１は、オートスリープ時刻を設定する場合に移行する。オートスリープ時刻の設定画面のタイトル１２０６は、オートスリープ時刻の設定と表示される。
【００３０】
オートスリープ時刻を設定する場合は、曜日ボタン１２０２を押下し、図示しない操作部３１９に用意されたテンキーボタンを介して数字を入力することで、入力した数字が時刻表示欄１２０３に設定時間が表示される。オートスリープ時刻の設定を終了する場合は、ＯＫボタン１２０５を押下する。設定を中止したい場合は、キャンセルボタン１２０４を押下することでオートスリープ時刻設定を中止することができる。なお、設定されたオートスリープ時刻設定はＨＤＤ部３１６の設定情報３２０に記憶される。
【００３１】
画像形成装置１００には、スリープモードから通常モードへ移行する時刻を設定することが可能なスリープ復帰時刻機能が用意されている。このスリープ復帰時刻機能とは、スリープモードに移行する前にＣＰＵ部３１７がタイマ部３１４にスリープ復帰時刻の設定を行い、スリープモード状態に移行させる。タイマ部３１４に設定された時刻に至ると、タイマ部３１４が電源制御部３１２に対してその旨を通知し、電源制御部３１２が各部の電源を投入し、スリープモードから通常モードへ移行させる機能である。
【００３２】
図５は、本実施形態を示す画像形成装置の操作部３１９に表示されるＵＩ画面を示す図である。本例は、特にスリープ復帰時刻の設定画面構成に対応する。
図５に示すスリープ復帰時刻の設定画面構成は、メモリ部３１５あるいはＨＤＤ部３１６に保存されたソフトウェアに基づいてＣＰＵ部３１７が制御するものである。スリープ復帰時刻の設定画面１３０１は、スリープ復帰時刻を設定する場合に移行する。スリープ復帰時刻の設定画面のタイトル１３０５は、スリープ復帰時刻の設定と表示される。スリープ復帰時刻を設定する場合は、図示しない操作部３１９に用意されたテンキーボタンを介して数字を入力することで、入力した数字が時刻表示欄１３０２に設定時間が表示される。スリープ復帰時刻の設定を終了する場合は、ＯＫボタン１３０４を押下する。設定を中止したい場合は、キャンセルボタン１３０３を押下することでスリープ復帰時刻設定を中止することができる。なお、設定されたスリープ復帰時刻設定はＨＤＤ部３１６の設定情報３２０に記憶される。
【００３３】
ところで、ＣＰＵ部３１７が通常モードにある画像形成装置１００をスリープモードに切り替えるケースは、オートスリープ時刻機能だけではない。つまり、スリープ自動移行機能やスリープモード移行／解除ボタンの押下などによって、ＣＰＵ部３１７が画像形成装置１００をスリープモードに移行させるケースも存在する。スリープ自動移行機能とは、ＣＰＵ部３１７が予め設定された一定時間内にプリント、コピー、スキャンなどのジョブを行わなかった場合、画像形成装置１００をスリープモードへ移行させる機能である。なお、人感センサ部１０４で一定時間人を検出しなかった場合も、スリープ自動移行機能によってスリープモードへ移行させることができる。
【００３４】
図６は、本実施形態を示す画像形成装置の操作部３１９に表示されるＵＩ画面を示す図である。本例は、人感センサ部１０４に電源供給しているスリープモード状態（通常スリープモード）時の電源状態に対応する。通常モード時は、図３に示す全てのブロックに電源が供給されている。この際に必要な機能にのみ給電するような形態を取ってもよいが、ここでは明記しない。
【００３５】
通常スリープモード時では、図６に示したように一部のブロックに電源が給電されている。まずＡＣプラグ１０７を介して、交流商用電源がコントローラ電源系１、３用電源部３０５に供給される。コントローラ電源系１、３用電源部３０５から電源が供給されるブロックは、人感センサ部電源供給部３２１、電源制御部３１２、ネットワーク処理部３１３、タイマ部３１４、タイマ部３２３、ＲＴＣ部３２４、メモリ部３１５である。人感センサ部電源供給部３２１から電源が供給されるブロックは、人感センサ部１０４である。なお、操作部３１９への電源は遮断するように記載しているが、スリープモード移行／解除ボタンが押下されたことを電源制御部３１２で検知できる構成とする。
【００３６】
図７は、本実施形態を示す画像形成装置の操作部３１９に表示されるＵＩ画面を示す図である。本例は、人感センサ部１０４の電源を遮断しているスリープモード状態（人感センサ電源遮断スリープモード）時の電源状態に対応する。
人感センサ電源遮断スリープモード時では、図７に示したように一部のブロックに電源が給電されている。通常スリープモードとの違いは、人感センサ部電源供給部３２１、人感センサ部１０４の電源を遮断している点である。
【００３７】
図８は、本実施形態を示す画像形成装置の制御方法を説明するフローチャートである。本例は、オートスリープ時刻機能の時刻確認シーケンス例に対応する。なお、各ステップは、ＣＰＵ部３１７がメモリ部３１５にロードする制御プログラムを実行することで実現される。
まずオートスリープ時刻が設定されているかを確認するために、ＣＰＵ部３１７がＨＤＤ部３１６の設定情報３２０を判断する（Ｓ６０１）。ＣＰＵ部３１７がオートスリープ時刻の設定がされていると判断した場合（Ｓ６０１がＹＥＳ）は、ＣＰＵ部３１７がＲＴＣ部３２４にアクセスし、現在時刻を取得する（Ｓ６０２）。オートスリープ時刻の設定がされていない場合（Ｓ６０１がＮＯ）は、オートスリープ時刻機能の時刻確認シーケンスを終了する。ＣＰＵ部３１７が取得した現時刻とオートスリープ時刻を比較し（Ｓ６０３）、時刻が一致した場合はスリープ移行要因が発生したことをスリープモード移行シーケンスに通知する（Ｓ６０４）。オートスリープ時刻が一致しなかった場合（Ｓ６０３がＮＯ）は、ＣＰＵ部３１７がＲＴＣ部３２４に定期的にアクセスし、現時刻がオートスリープ時刻と一致するのを待つ。
【００３８】
図９は、本実施形態を示す画像形成装置の制御方法を説明するフローチャートである。本例は、スリープモード移行シーケンス例に対応する。なお、各ステップは、ＣＰＵ部３１７がメモリ部３１５にロードする制御プログラムを実行することで実現される。
まずスリープ移行要因が発生したかを判断するために、ＣＰＵ部３１７がオートスリープ時刻シーケンスの状態、スリープ自動移行シーケンスの状態、電源制御部３１２を介して操作部３１９のスリープモード移行／解除ボタンの状態を確認する（Ｓ７０１）。ＣＰＵ部３１７がスリープモードへの移行指示がないと判断した場合は、スリープモードへの移行指示が発生するまで定期的に各部の状態をポーリングする（Ｓ７０１がＮＯ）。
一方、ＣＰＵ部３１７がスリープ移行要因が発生していると判断した場合（Ｓ７０１がＹＥＳ）は、スリープ復帰時刻が設定されているかを判断するために、ＣＰＵ部３１７がＨＤＤ部３１６の設定情報３２０を確認する（Ｓ７０２）。
【００３９】
ＣＰＵ部３１７がスリープ復帰時刻の設定がされていると判断した場合（Ｓ７０２がＹＥＳ）は、ＣＰＵ部３１７がタイマ部３１４にスリープ復帰時刻の設定を行い（Ｓ７０３）、タイマ部３１４をスリープ復帰要因として有効にする（Ｓ７０４）。なお、ＣＰＵ部３１７がスリープ復帰時刻の設定がされていないと判断した場合（Ｓ７０２がＮＯ）は、タイマ部３１４の設定は行わない。次に、スリープ移行要因がオートスリープ時刻要因であるかを確認するために、ＣＰＵ部３１７がオートスリープ時刻シーケンスの状態を確認する（Ｓ７０５）。
【００４０】
スリープ移行要因がオートスリープ時刻要因であった場合（Ｓ７０５がＹＥＳ）は、ＣＰＵ部３１７はＨＤＤ部３１６に格納されている制御プログラムに従って、画像処理部３１８内のデータの退避などソフトウェアのスリープモード移行処理を実行する（Ｓ７０６）。ソフトウェアのスリープモード移行処理終了後、ＣＰＵ部３１７が電源制御部３１２に対して、電源系２，３の電源を遮断するように指示する。電源制御部３１２はＣＰＵ部３１７から電源系２，３の電源遮断指示を受け取ると、リレー３０１、電源部３０２、電源供給部３０６、人感センサ部電源供給部３２１の電源を遮断し、人感センサ電源遮断スリープモードへの移行を完了する（Ｓ７０７）。
【００４１】
スリープ移行要因がオートスリープ時刻要因でないとＣＰＵ部３１７が判断した場合（Ｓ７０５がＮＯ）は、オートスリープ時刻が設定されているかを判断するために、ＣＰＵ部３１７がＨＤＤ部３１６の設定情報３２０を確認する（Ｓ７０８）。ＣＰＵ部３１７がオートスリープ時刻の設定がされていると判断した場合（Ｓ７０8がＹＥＳ）は、ＣＰＵ部３１７がタイマ部３２３にオートスリープ時刻の設定を行い（Ｓ７０９）、タイマ部３２３をスリープ復帰要因として有効にする（Ｓ７１０）。
【００４２】
なお、ＣＰＵ部３１７がオートスリープ時刻の設定がされていないと判断した場合（Ｓ７０８がＮＯ）は、タイマ部３２３の設定は行わない。次にＣＰＵ部３１７はソフトウェアのスリープモード移行処理を実行し（Ｓ７１１）、電源制御部３１２に対して電源系２の電源を遮断するように指示する。電源制御部３１２はＣＰＵ部３１７から電源系２の電源遮断指示を受け取ると、リレー３０１、電源部３０２、電源供給部３０６の電源を遮断し、通常スリープモードへの移行を完了する（Ｓ７１２）。
【００４３】
図１０は、本実施形態を示す画像形成装置の制御方法を説明するフローチャートである。本例は、電源制御部３１２のスリープモード復帰シーケンス例に対応する。なお、各ステップは、電源制御部３１２が制御プログラムを実行することで実現される。
まず、スリープ復帰要因が発生したかを判断するために、電源制御部３１２がネットワーク処理部３１３、人感センサ部１０４、操作部３１９のスリープモード移行／解除ボタン、タイマ部３１４、タイマ部３２３の状態を判断する（Ｓ８０１）。ここで、電源制御部３１２がスリープ復帰要因は発生していないと判断した場合は、スリープ復帰要因が発生するまで定期的に各部の状態をポーリングする（Ｓ８０１がＮＯ）。
一方、Ｓ８０１で、電源制御部３１２がスリープ復帰要因があると判断した場合は（Ｓ８０１がＹＥＳ）、スリープ復帰要因がタイマ部３２３であるかを判断する（Ｓ８０２）。ここで、スリープ復帰要因がタイマ部３２３であると電源制御部３１２が判断した場合（Ｓ８０２がＹＥＳ）は、電源制御部３１２がタイマ部３２３を無効にする（Ｓ８０３）。
そして、無効化後、電源制御部３１２が電源系３に電源を供給する人感センサ部電源供給部３２１の電力供給を遮断し、人感センサ電源遮断スリープモードに移行させる（Ｓ８０４）。
一方、Ｓ８０２で、スリープ復帰要因がタイマ部３２３でないと電源制御部３１２が判断した場合（Ｓ８０２がＮＯ）は、電源制御部３１２がスリープ復帰要因としてタイマ部３１４が有効であるかを判断する（Ｓ８０５）。
【００４４】
ここで、タイマ部３１４が有効であると電源制御部３１２が判断した場合（Ｓ８０５がＹＥＳ）は、電源制御部３１２は、スリープ復帰要因がタイマ部３１４であるかを判断する（Ｓ８０６）。ここで、スリープ復帰要因がタイマ部３１４でないと電源制御部３１２が判断した場合（Ｓ８０６がＮＯ）は、電源制御部３１２が電源系２に電源を供給するため、リレー３０１、電源部３０２、電源供給部３０６をオンし、各部の電源供給を開始して（Ｓ８０７）、本処理を終了する。
一方、Ｓ８０５で、タイマ部３１４が無効であると電源制御部３１２が判断した場合（Ｓ８０５がＮＯ）は、電源制御部３１２が電源系２、３に電源を供給するため、リレー３０１、電源部３０２、電源供給部３０６、人感センサ部電源供給部３２１をオンし、各部の電源供給を開始して（Ｓ８０８）、本処理を終了する。
また、Ｓ８０６で、スリープ復帰要因がタイマ部３１４であると電源制御部３１２が判断した場合（Ｓ８０６がＹＥＳ）も同様に、電源制御部３１２が電源系２、３に電源供給を開始して（Ｓ８０８）、本処理を終了する。
【００４５】
図１１は、本実施形態を示す画像形成装置の制御方法を説明するフローチャートである。本例は、スリープモード復帰シーケンス例に対応する。なお、各ステップは、ＣＰＵ部３１７がメモリ部３１５にロードする制御プログラムを実行することで実現される。
電源系２の電源が投入されるとＣＰＵ部３１７にも電源が供給され、ＣＰＵ部３１７がスリープモード復帰処理を実行する。スリープモード復帰処理では、まずＣＰＵ部３１７が、ＨＤＤ部３１６やメモリ部３１５に格納されている制御プログラムに従って、画像処理部３１８内のデータの復元などソフトウェアのスリープモード復帰処理を実行する（Ｓ９０１）。スリープモード復帰処理終了後、通常モードへの移行要因を確認するために、ＣＰＵ部３１７が電源制御部３１２に対してアクセスする（Ｓ９０２）。
通常モードへの復帰要因を確認後、ＣＰＵ部３１７は、タイマ部３１４、タイマ部３２３を無効にする（Ｓ９０３）。その後、ＣＰＵ部３１７がスリープ復帰要因に合わせた処理を実行する（Ｓ９０４）。スリープ復帰要因の処理終了後、ＣＰＵ部３１７は、図１０で示すスリープ復帰時刻の時刻確認シーケンスを開始し（Ｓ９０５）、次に図６で示したオートスリープ時刻機能の時刻確認シーケンスを開始する（Ｓ９０６）。
【００４６】
図１２は、本実施形態を示す画像形成装置の制御方法を説明するフローチャートである。本例は、スリープ復帰時刻の時刻確認例に対応する。なお、各ステップは、ＣＰＵ部３１７がメモリ部３１５にロードする制御プログラムを実行することで実現される。
まず、オートスリープ時刻機能で電源系３の電源が遮断されているかを確認するために、ＣＰＵ部３１７が電源制御部３１２を介して人感センサ部電源供給部３２１の状態を確認する（Ｓ１００１）。電源系３の電源が遮断されていた場合（Ｓ１００１がＹＥＳ）は、ＣＰＵ部３１７がＲＴＣ部３２４にアクセスし、現在の時刻を取得する（Ｓ１００２）。
【００４７】
一方、Ｓ１００１で、電源系３の電源が遮断されていないとＣＰＵ部３１７が判断した場合（Ｓ１００１がＮＯ）は、スリープ復帰時刻の時刻確認シーケンスを終了する。
次に、ＣＰＵ部３１７が取得した現時刻と設定情報３２０のスリープ復帰時刻を比較し（Ｓ１００３）、スリープ復帰時刻が一致しているかどうかを判断する。ここで、スリ法復帰時刻に一致しているとＣＰＵ部３１７が判断した場合、人感センサ部電源供給部３２１をオンし、人感センサ部１０４の電源である電源系３の電源供給を開始して（Ｓ１００４）、本処理を終了する。
一方、スリープ復帰時刻が一致しないとＣＰＵ部３１７が判断した場合（Ｓ１００３がＮＯ）は、ＣＰＵ部３１７がＲＴＣ部３２４に定期的にアクセスし、現時刻がスリープ復帰時刻と一致するのを待つ。
【００４８】
以上のように本実施形態によれば、オートスリープ時刻が経過した場合は、人感センサ部１０４の電源を遮断するスリープモードへ移行させることで、ユーザが意図的にスリープに落としたい時間での人感センサ部１０４による動作を制限できる。
なお、スリープ復帰要因には、操作部３１９による操作要因と、通信を行うネットワーク処理部３１３による通信要因と、人感センサ部１０４による検知要因とが含まれる。
【００４９】
〔第２実施形態〕
本実施形態では、オートスリープ時刻機能にスリープモードに移行する時刻とオートスリープ時刻でのスリープモード移行時に人感センサ部１０４を有効にするか無効にするかの設定が可能な場合について説明する。
この場合のオートスリープ時刻機能は、曜日毎や日付毎にスリープに移行させたい時間を設定する項目と、スリープ移行時の人感センサ部１０４の有効／無効が選択できる。人感センサ部１０４が有効と設定された場合は、オートスリープ時刻に至ると通常スリープモードに移行する。また、人感センサ部１０４が無効と設定された場合は、オートスリープ時刻に至ると人感センサ電源遮断スリープモードに移行する。なお、画像形成装置の構成に関しては、第１実施形態と同じであるため、説明を割愛する。
【００５０】
図１３は、本実施形態を示す画像形成装置の制御方法を説明するフローチャートである。本例は、スリープモード移行シーケンス例に対応する。なお、各ステップは、ＣＰＵ部３１７がメモリ部３１５にロードする制御プログラムを実行することで実現される。
まずスリープ移行要因が発生したかを確認するために、ＣＰＵ部３１７がオートスリープ時刻シーケンスの状態、スリープ自動移行シーケンスの状態、電源制御部３１２を介して操作部３１９のスリープモード移行／解除ボタンの状態を確認してＣＰＵ部３１７がスリープモードへの移行指示があるかどうかを判断する（Ｓ１１０１）。ここで、移行指示があるとＣＰＵ部３１７が判断した場合、スリープモードへの移行指示が発生するまで定期的に各部の状態をポーリングする（Ｓ１１０１がＮＯ）。
【００５１】
一方、Ｓ１１０１で、スリープ移行要因が発生しているとＣＰＵ部３１７が判断した場合（Ｓ１１０１がＹＥＳ）は、スリープ復帰時刻が設定されているかを判断するために、ＣＰＵ部３１７がＨＤＤ部３１６の設定情報３２０を確認する（Ｓ１１０２）。
ここで、ＣＰＵ部３１７がスリープ復帰時刻設定がされていると判断した場合（Ｓ１１０２がＹＥＳ）は、ＣＰＵ部３１７がタイマ部３１４にスリープ復帰時刻の設定を行い（Ｓ１１０３）、タイマ部３１４をスリープ復帰要因として有効にする（Ｓ１１０４）。
【００５２】
なお、ＣＰＵ部３１７がスリープ復帰時刻の設定がされていないと判断した場合（Ｓ１１０２がＮＯ）は、タイマ部３１４の設定は行わない。次に、スリープ移行要因がオートスリープ時刻要因であるかを判断するために、ＣＰＵ部３１７がオートスリープ時刻シーケンスの状態を確認する（Ｓ１１０５）。
ここで、スリープ移行要因がオートスリープ時刻要因であるとＣＰＵ部３１７が判断した場合（Ｓ１１０５がＹＥＳ）は、スリープ移行時の人感センサ部１０４の状態設定が無効設定になっているかを判断するために、ＣＰＵ部３１７がＨＤＤ部３１６の設定情報３２０を確認する（Ｓ１１０６）。
【００５３】
ここで、スリープ移行時の人感センサ部１０４の状態設定が無効設定であるとＣＰＵ部３１７が判断した場合（Ｓ１１０６がＹＥＳ）は、ＣＰＵ部３１７は制御プログラムに従って、画像処理部３１８内のデータの退避などソフトウェアのスリープモード移行処理を実行する（Ｓ１１０７）。そして、ソフトウェアのスリープモード移行処理終了後、ＣＰＵ部３１７が電源制御部３１２に対して、電源系２，３の電源を遮断するように指示する。電源制御部３１２は、ＣＰＵ部３１７から電源系２，３の電源遮断指示を受け取ると、ＣＰＵ部３１７は、リレー３０１、電源部３０２、電源供給部３０６、人感センサ部電源供給部３２１の電源を遮断し、人感センサ電源遮断スリープモードへの移行を完了する（Ｓ１１０８）。
【００５４】
一方、Ｓ１１０５で、スリープ移行要因がオートスリープ時刻要因でないとＣＰＵ部３１７が判断した場合は（Ｓ１１０５がＮＯ）、オートスリープ時刻が設定されているかを判断するために、ＣＰＵ部３１７がＨＤＤ部３１６の設定情報３２０を確認する（Ｓ１１０９）。
ここで、オートスリープ時刻の設定がされているとＣＰＵ部３１７が判断した場合（Ｓ１１０９がＹＥＳ）は、スリープ移行時の人感センサ部１０４の状態設定が無効設定になっているかを判断するために、ＣＰＵ部３１７がＨＤＤ部３１６の設定情報３２０を確認する（Ｓ１１１０）。
【００５５】
ここで、スリープ移行時の人感センサ部１０４の状態設定が無効設定であるとＣＰＵ部３１７が判断した場合（Ｓ１１１０がＹＥＳ）は、ＣＰＵ部３１７がタイマ部３２３にオートスリープ時刻の設定を行い（Ｓ１１１１）、タイマ部３２３をスリープ復帰要因として有効にする（Ｓ１１１２）。
一方、Ｓ１１０９で、ＣＰＵ部３１７がオートスリープ時刻の設定がされていないと判断した場合（Ｓ１１０９がＮＯ）および、Ｓ１１１０でスリープ移行時の人感センサ部１０４の状態設定が有効設定であるとＣＰＵ部３１７が判断した場合（Ｓ１１１０がＮＯ）は、タイマ部３２３の設定は行わない。
次に、ＣＰＵ部３１７はソフトウェアのスリープモード移行処理を実行し（Ｓ１１１３）、電源制御部３１２に対して電源系２の電源を遮断するように指示する。電源制御部３１２はＣＰＵ部３１７から電源系２の電源遮断指示を受け取ると、リレー３０１、電源部３０２、電源供給部３０６の電源を遮断し、通常スリープモードへの移行を完了する（Ｓ１１１４）。
【００５６】
以上のように本実施形態によれば、オートスリープ時刻機能によるスリープモード移行時の人感センサ部１０４の有効／無効設定を可能にすることができる。つまり、土日など特に使用頻度が低い日時だけ人感センサ部１０４の誤検知による抑制する人感センサ電源遮断スリープモードに設定するといったことが設定可能となり、ユーザ利便性の維持と不要な通常モードへの移行を抑制することができる。
【００５７】
〔第３実施形態〕
本実施形態では、人感センサ部１０４の電源のみを時刻設定で制御することが可能な場合について説明する。第３実施形態では、画像形成装置１００に通常モードから人感センサ部１０４の電源のみを遮断する時刻を設定することが可能な人感センサオフ時刻機能が用意されている。
【００５８】
この人感センサオフ時刻機能とは、ＲＴＣ部３２４により計時される時刻が曜日毎に予め設定された時刻に至ると、ＣＰＵ部３１７が通常モードから人感センサ部１０４の電源を遮断する人感センサ電源遮断通常モードへ移行させる機能である。
【００５９】
図１４は、本実施形態を示す画像形成装置の操作部３１９に表示されるＵＩ画面を示す図である。本例は、人感センサオフ時刻の設定画面例に対応する。
図１４に示す人感センサオフ時刻の設定画面構成は、メモリ部３１５あるいはＨＤＤ部３１６に保存されたソフトウェアに基づいてＣＰＵ部３１７が制御するものである。人感センサオフ時刻の設定画面１４０１は、人感センサオフ時刻を設定する場合に移行する。人感センサオフ時刻の設定画面のタイトル１４０６は、人感センサオフ時刻の設定と表示される。人感センサオフ時刻を設定する場合は、曜日ボタン１４０２を押下し、図示しない操作部３１９に用意されたテンキーボタンを介して数字を入力することで、入力した数字が時刻表示欄１４０３に設定時間が表示される。
【００６０】
人感センサオフ時刻の設定を終了する場合は、ＯＫボタン１４０５を押下する。設定を中止したい場合は、キャンセルボタン１４０４を押下することでオートスリープ時刻設定を中止することができる。なお、設定された人感センサオフ時刻設定はＨＤＤ部３１６の設定情報３２０に記憶される。
【００６１】
画像形成装置１００には、人感センサ電源遮断通常モードから通常モードへ移行する時刻を設定することが可能な人感センサオン時刻機能が用意されている。この人感センサオン時刻機能とは、ＲＴＣ部３２４により計時される時刻が曜日毎に予め設定された時刻に至ると、ＣＰＵ部３１７が人感センサ電源遮断通常モードから通常モードへ移行させる機能である。
【００６２】
図１５は、本実施形態を示す画像形成装置の操作部３１９に表示されるＵＩ画面を示す図である。本例は、人感センサオン時刻の設定画面例に対応する。
図１５に示す人感センサオン時刻の設定画面構成は、メモリ部３１５あるいはＨＤＤ部３１６に保存されたソフトウェアに基づいてＣＰＵ部３１７が制御するものである。人感センサオン時刻の設定画面１５０１は、人感センサオン時刻を設定する場合に移行する。人感センサオン時刻の設定画面のタイトル１５０６は、人感センサオン時刻の設定と表示される。人感センサオン時刻を設定する場合は、曜日ボタン１５０２を押下し、図示しない操作部３１９に用意されたテンキーボタンを介して数字を入力することで、入力した数字が時刻表示欄１５０３に設定時間が表示される。
【００６３】
人感センサオン時刻の設定を終了する場合は、ＯＫボタン１５０５を押下する。設定を中止したい場合は、キャンセルボタン１５０４を押下することでオートスリープ時刻設定を中止することができる。なお、設定された人感センサオン時刻設定はＨＤＤ部３１６の設定情報３２０に記憶される。
【００６４】
図１６は、本実施形態を示す画像形成装置の制御方法を説明するフローチャートである。本例は、人感センサオフ時刻機能の時刻確認シーケンス例に対応する。なお、各ステップは、ＣＰＵ部３１７がメモリ部３１５にロードする制御プログラムを実行することで実現される。
まず人感センサオフ時刻が設定されているかを判断するために、ＣＰＵ部３１７がＨＤＤ部３１６の設定情報３２０を確認する（Ｓ１６０１）。ＣＰＵ部３１７が人感センサオフ時刻の設定がされていると判断した場合（Ｓ１６０１がＹＥＳ）は、ＣＰＵ部３１７がＲＴＣ部３２４にアクセスし、現在の時刻を取得する（Ｓ１６０２）。
一方、Ｓ１６０１で、人感センサオフ時刻の設定がされていない場合（Ｓ１６０１がＮＯ）は、人感センサオフ時刻機能の時刻確認シーケンスを終了する。
次に、ＣＰＵ部３１７が取得した現時刻と人感センサオフ時刻を比較し（Ｓ１６０３）、時刻が一致しているかどうかを判断する。ここで、現時刻と人感センサオフ時刻とが一致しているとＣＰＵ部３１７が判断した場合は、ＣＰＵ部３１７が電源制御部３１２に対して電源系３の電源を遮断するように指示する（Ｓ１６０４）。そして、電源制御部３１２はＣＰＵ部３１７から電源系３の電源遮断指示を受け取ると、人感センサ部電源供給部３２１の電源を遮断し、人感センサ電源遮断通常モードへの移行を完了する。
【００６５】
図１７は、本実施形態を示す画像形成装置の制御方法を説明するフローチャートである。本例は、人感センサオン時刻の時刻確認シーケンス例に対応する。なお、各ステップは、ＣＰＵ部３１７がメモリ部３１５にロードする制御プログラムを実行することで実現される。
まず人感センサオフ時刻機能で電源系３の電源が遮断されているかを判断するために、ＣＰＵ部３１７が電源制御部３１２を介して人感センサ部電源供給部３２１の状態を確認する（Ｓ１７０１）。電源系３の電源が遮断されているとＣＰＵ部３１７が判断した場合（Ｓ１７０１がＹＥＳ）は、ＣＰＵ部３１７がＲＴＣ部３２４にアクセスし、現在の時刻を取得する（Ｓ１７０２）。
【００６６】
一方、Ｓ１７０１で、電源系３の電源が遮断されていないとＣＰＵ部３１７が判断した場合（Ｓ１７０１がＮＯ）は、人感センサオン時刻の時刻確認シーケンスを終了する。
次に、ＣＰＵ部３１７が取得した現時刻と設定情報３２０の人感センサオン時刻を比較し、人感センサオン時刻が一致しているかどうかを判断する（Ｓ１７０３）。ここで、現時刻と設定情報３２０の人感センサオン時刻を比較し、人感センサオン時刻が一致しているとＣＰＵ部３１７が判断した場合、ＣＰＵ部３１７が人感センサ部電源供給部３２１をオンし、人感センサ部１０４の電源である電源系３の電源供給を開始する（Ｓ１７０４）。
一方、Ｓ１７０３で、人感センサオン時刻が一致していないとＣＰＵ部３１７が判断した場合（Ｓ１７０３がＮＯ）は、ＣＰＵ部３１７がＲＴＣ部３２４に定期的にアクセスし、現時刻が人感センサオン時刻と一致するのを待つ。
【００６７】
本実施形態によれば、人感センサ部１０４の電源を遮断することで、人感センサからの復帰要因をマスクすることができる。つまり土日など特に使用頻度が低い日時だけ人感センサの誤検知によるスリープ復帰動作を抑制することが設定可能となり、不要な通常モードへの移行を抑制することができる。
各実施形態によれば、通常モードからスリープモードへ移行する時刻が設定されている場合は、人感センサ部の電源を遮断することで使用頻度が少ない時間での不要な通常モードへの移行を抑制することができる。さらに人感センサ部の電源を遮断することにより、通常のスリープモードより消費電力を少なくすることが可能となる。
【００６８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００６９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００７０】
１００  画像形成装置
３１２  電源制御部
【図１】
2019169954.tif 000003
【図２】
2019169954.tif 000004
【図３】
2019169954.tif 000005
【図４】
2019169954.tif 000006
【図５】
2019169954.tif 000007
【図６】
2019169954.tif 000008
【図７】
2019169954.tif 000009
【図８】
2019169954.tif 000010
【図９】
2019169954.tif 000011
【図１０】
2019169954.tif 000012
【図１１】
2019169954.tif 000013
【図１２】
2019169954.tif 000014
【図１３】
2019169954.tif 000015
【図１４】
2019169954.tif 000016
【図１５】
2019169954.tif 000017
【図１６】
2019169954.tif 000018
【図１７】
2019169954.tif 000019
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
省電力モードに移行可能な画像形成装置であって、
人を検知する検知手段と、
外部装置が送信したデータを受信する受信手段と、
曜日毎に省電力モードへの移行条件を設定することが可能な設定手段と、
前記設定手段によって設定された移行条件に従って、所定のユーザ設定に基づき、前記画像形成装置を前記検知手段による人の検知に基づく復帰および前記受信手段による特定データの受信に基づく復帰が可能な第１省電力モードに移行する、又は、前記受信手段による特定データの受信に基づく復帰が可能だが前記検知手段による人の検知に基づく復帰が可能でない第２省電力モードに移行する電力制御手段と、を備えることを特徴とする画像形成装置。
【請求項２】
前記第２省電力モードでは、前記検知手段への電力供給が停止される、ことを特徴とする請求項１に記載の画像形成装置。
【請求項３】
前記電力制御手段は、前記検知手段による人の検知、又は、前記受信手段による特定データの受信、に基づいて、前記画像形成装置を前記第１省電力モードから復帰させ、前記受信手段による特定データの受信に基づいて前記画像形成装置を前記第２省電力モードから復帰させる、ことを特徴とする請求項１又は２に記載の画像形成装置。
【請求項４】
印刷手段と、
読取手段と、
前記印刷手段及び前記読取手段を制御する制御手段と、をさらに備え、
前記第１省電力モード及び前記第２省電力モードでは、前記制御手段への電力供給が停止される、ことを特徴とする請求項１乃至３の何れか１項に記載の画像形成装置。
【請求項５】
前記第１省電力モード及び前記第２省電力モードでは、前記印刷手段及び前記読取手段へ電力供給が停止される、ことを特徴とする請求項４に記載の画像形成装置。
【請求項６】
ユーザ操作を受け付ける操作部をさらに備え、
前記第１省電力モード及び前記第２省電力モードのそれぞれは、前記操作部が受け付けた所定のユーザ操作による復帰が可能な状態である、ことを特徴とする請求項１乃至５の何れか１項に記載の画像形成装置。
【請求項７】
表示手段をさらに備え、
前記表示手段は、前記所定のユーザ設定を入力する画面を表示することが可能である、ことを特徴とする請求項１乃至６の何れか１項に記載の画像形成装置。
【請求項８】
前記第１省電力モードでの消費電力は、前記第２省電力モードでの消費電力より大きい、ことを特徴とする請求項１乃至７の何れか１項に記載の画像形成装置。
【請求項９】
前記移行条件は、前記省電力モードへの移行時刻である、ことを特徴とする請求項１乃至８の何れか１項に記載の画像形成装置。
【請求項１０】
前記特定データは、前記画像形成装置宛てのパケットである、ことを特徴とする請求項１乃至９の何れか１項に記載の画像形成装置。
【請求項１１】
前記検知手段は、焦電センサである、ことを特徴とする請求項１乃至１０の何れか１項に記載の画像形成装置。
【請求項１２】
前記検知手段は、赤外線を受信する赤外線センサである、ことを特徴とする請求項１乃至１０の何れか１項に記載の画像形成装置。
【請求項１３】
省電力モードに移行可能な画像形成装置であって、
人を検知する検知手段と、
外部装置が送信したデータを受信する受信手段と、
特定の日に省電力モードへの移行条件を設定することが可能な設定手段と、
前記設定手段によって設定された移行条件に従って、所定のユーザ設定に基づき、前記画像形成装置を前記検知手段による人の検知に基づく復帰および前記受信手段による特定データの受信に基づく復帰が可能な第１省電力モードに移行する、又は、前記受信手段による特定データの受信に基づく復帰が可能だが前記検知手段による人の検知に基づく復帰が可能でない第２省電力モードに移行する電力制御手段と、を備えることを特徴とする画像形成装置。
【請求項１４】
前記第２省電力モードでは、前記検知手段への電力供給が停止される、ことを特徴とする請求項１３に記載の画像形成装置。
【請求項１５】
前記電力制御手段は、前記検知手段による人の検知、又は、前記受信手段による特定データの受信、に基づいて、前記画像形成装置を前記第１省電力モードから復帰させ、前記受信手段による特定データの受信に基づいて前記画像形成装置を前記第２省電力モードから復帰させる、ことを特徴とする請求項１３又は１４に記載の画像形成装置。
【請求項１６】
印刷手段と、
読取手段と、
前記印刷手段及び前記読取手段を制御する制御手段と、をさらに備え、
前記第１省電力モード及び前記第２省電力モードでは、前記制御手段への電力供給が停止される、ことを特徴とする請求項１３乃至１５の何れか１項に記載の画像形成装置。
【請求項１７】
前記第１省電力モード及び前記第２省電力モードでは、前記印刷手段及び前記読取手段へ電力供給が停止される、ことを特徴とする請求項１６に記載の画像形成装置。
【請求項１８】
ユーザ操作を受け付ける操作部をさらに備え、
前記第１省電力モード及び前記第２省電力モードのそれぞれは、前記操作部が受け付けた所定のユーザ操作による復帰が可能な状態である、ことを特徴とする請求項１３乃至１７の何れか１項に記載の画像形成装置。
【請求項１９】
表示手段をさらに備え、
前記表示手段は、前記所定のユーザ設定を入力する画面を表示することが可能である、ことを特徴とする請求項１３乃至１８の何れか１項に記載の画像形成装置。
【請求項２０】
前記第１省電力モードでの消費電力は、前記第２省電力モードでの消費電力より大きい、ことを特徴とする請求項１３乃至１９の何れか１項に記載の画像形成装置。
【請求項２１】
前記移行条件は、前記省電力モードへの移行時刻である、ことを特徴とする請求項１３乃至２０の何れか１項に記載の画像形成装置。
【請求項２２】
前記特定データは、前記画像形成装置宛てのパケットである、ことを特徴とする請求項１３乃至２１の何れか１項に記載の画像形成装置。
【請求項２３】
前記検知手段は、焦電センサである、ことを特徴とする請求項１３乃至２２の何れか１項に記載の画像形成装置。
【請求項２４】
前記検知手段は、赤外線を受信する赤外線センサである、ことを特徴とする請求項１３乃至２２の何れか１項に記載の画像形成装置。
【請求項２５】
前記設定手段は、複数の特定の日のそれぞれに省電力モードへの移行条件を設定する、ことを特徴とする請求項１３乃至２４の何れか１項に記載の画像形成装置。
【請求項２６】
人を検知する検知手段及び外部装置が送信したデータを受信する受信手段を備える画像形成装置を省電力モードに移行させる移行方法であって、
曜日毎に省電力モードへの移行条件を設定する設定ステップと、
前記設定ステップで設定された移行条件に従って、所定のユーザ設定に基づき、前記画像形成装置を前記検知手段による人の検知に基づく復帰および前記受信手段による特定データの受信に基づく復帰が可能な第１省電力モードに移行する、又は、前記受信手段による特定データの受信に基づく復帰が可能だが前記検知手段による人の検知に基づく復帰が可能でない第２省電力モードに移行する移行ステップと、を備えることを特徴とする移行方法。
【請求項２７】
人を検知する検知手段、及び、外部装置が送信したデータを受信する受信手段を備える画像形成装置を省電力モードに移行させる移行方法であって、
特定の日に省電力モードへの移行条件を設定する設定ステップと、
前記設定ステップで設定された移行条件に従って、所定のユーザ設定に基づき、前記画像形成装置を前記検知手段による人の検知に基づく復帰および前記受信手段による特定データの受信に基づく復帰が可能な第１省電力モードに移行する、又は、前記受信手段による特定データの受信に基づく復帰が可能だが前記検知手段による人の検知に基づく復帰が可能でない第２省電力モードに移行する移行ステップと、を備えることを特徴とする移行方法。
【手続補正２】
【補正対象書類名】明細書
【補正対象項目名】０００８
【補正方法】変更
【補正の内容】
【０００８】
上記目的を達成する本発明の画像形成装置は以下に示す構成を備える。
省電力モードに移行可能な画像形成装置であって、人を検知する検知手段と、外部装置が送信したデータを受信する受信手段と、曜日毎に省電力モードへの移行条件を設定することが可能な設定手段と、前記設定手段によって設定された移行条件に従って、所定のユーザ設定に基づき、前記画像形成装置を前記検知手段による人の検知に基づく復帰および前記受信手段による特定データの受信に基づく復帰が可能な第１省電力モードに移行する、又は、前記受信手段による特定データの受信に基づく復帰が可能だが前記検知手段による人の検知に基づく復帰が可能でない第２省電力モードに移行する電力制御手段と、を備えることを特徴とする。
【手続補正３】
【補正対象書類名】図面
【補正対象項目名】図１３
【補正方法】変更
【補正の内容】
【図１３】
2019169954.tif 000020